(57)【要約】【課題】通信時と給電時に最適なＱ値に切り替える給電機器を提供すること。【解決手段】受電機器を非接触で給電する給電手段を有する給電装置において、受電機器と非接触で通信をする通信手段とアンテナと共振ピークの鋭さであるＱ値を算出し、通信用または給電用の電力が通る伝送路とアンテナ間の反射波電力と進行波電力の比から電力比を算出し、通信用電力比の設定値と給電用電力比の設定値を判断する。算出した電力比からＱ値を算出し、電力比とＱ値に応じて通信用と給電用の設定値を判断し、給電時と通信時で設定値を切り替える。【選択図】図２
2017121097.tif 000002
【特許請求の範囲】
【請求項１】
受電機器と非接触で給電する給電機器において、
受電機器を非接触で給電する給電手段と、
受電機器と非接触で通信をする通信手段と、
アンテナと、
共振ピークの鋭さであるＱ値を算出するＱ値算出手段と、
通信用または給電用の電力が通る伝送路とアンテナ間の反射波電力と進行波電力の比から電力比を算出する電力比算出手段と、
電力比を設定する設定手段と、
前記電力比設定手段により通信用電力比の設定値と給電用電力比の設定値を判断する判断手段と、を備え、
Ｑ値算出手段は前記電力比算出手段により算出した電力比からＱ値を算出し、前記判断手段は電力比とＱ値に応じて通信用と給電用の設定値を判断し、前記設定手段により給電時と通信時で設定値を切り替えることを特徴とする給電機器。
【請求項２】
前記調整回路は複数の調整素子で構成され、前記調整手段は調整素子を定数の大きい又は小さい方から順次変更していき、前記電力比検出手段で検出したそれぞれの調整素子の定数の電力比を記憶し、記憶した電力比で第１の所定値より小さい調整値を検出し、第１の所定値より小さい電力比と該電力比の前後の変化量を求め、得られた電力比の変化量が一番大きい調整値をＱ値が高いとして給電用の調整値とし、第２の所定値は第１の所定値よりも大きく、電力比が第２の所定値よりも小さく、前記第２の所定値より小さい電力比が連続する範囲が給電用の範囲と同じかそれよりも広い場合、Ｑ値は給電より小さいとして通信用の調整値とすることを特徴とする請求項１に記載の給電機器。
【請求項３】
更に、受電機器を検出する機器検出手段を備え、前記調整手段が前記電力比を調整するタイミングは前記機器検出手段により受電機器が検出される際に行うことを特徴とする請求項１又は請求項２に記載の給電機器。
【請求項４】
前記調整手段が前記電力比を調整するタイミングは、前記通信手段により受電機器と通信を行う前に調整を行うことを特徴とする請求項１又は請求項２に記載の給電機器。
【請求項５】
前記調整手段が前記電力比を調整するタイミングは、前記給電手段により受電機器と給電を行う前に調整を行うことを特徴とする請求項１又は請求項２に記載の給電機器。
【請求項６】
更にタイマーを備え、前記調整手段が前記電力比を調整するタイミングは前記タイマーにより時間を測定し、一定時間毎に調整を行うことを特徴とする請求項１又は請求項２に記載の給電機器。
【請求項７】
前記調整手段が前記電力比を調整するタイミングは、前記電力比算出手段により算出した電力が変化した際に調整を行うことを特徴とする請求項１又は請求項２に記載の給電機器。
【請求項８】
前記調整手段が前記電力比を調整するタイミングは、前記電力比算出手段により算出した電力が変化した際に調整を行うことを特徴とする請求項１又は請求項２に記載の給電機器。
【請求項９】
前記調整手段が調整を行う際、通信用も給電用も同じ電力の進行波電力で調整を行うことを特徴とする請求項１乃至請求項８の何れか一項に記載の給電機器。
【請求項１０】
前記調整手段が通信用の調整を行う際は、実際に受電機器と通信を行う際の進行波電力で調整を行うことを特徴とする請求項１乃至請求項８の何れか一項に記載の給電機器。
【請求項１１】
前記調整手段が給電用の調整を行う際は、実際に受電機器に給電を行う際の進行波電力で調整を行うことを特徴とする請求項１乃至請求項８の何れか一項に記載の給電機器。
【請求項１２】
前記調整手段が調整を行う際は、実際に受電機器に給電を行う際の進行波電力で調整を行うことを特徴とする請求項１乃至請求項８の何れか一項に記載の給電機器。
【請求項１３】
前記調整手段が調整を行う際は、実際に受電機器と通信を行う際の進行波電力で調整を行うことを特徴とする請求項１乃至請求項８の何れか一項に記載の給電機器。
【請求項１４】
前記電力比とはＳＷＲ（Ｓｔａｎｄｉｎｇ  Ｗａｖｅ  Ｒａｔｉｏ）であることを特徴とする請求項１乃至請求項８の何れか一項に記載の給電機器。
【発明の詳細な説明】
【技術分野】
【０００１】
本発明は、電子機器に対し非接触で電力を供給することができる給電機器に関する。
【背景技術】
【０００２】
近年、コネクタで物理的に接続することなく非接触で電力を出力するための１次コイルをアンテナとして持つ給電機器と、給電機器から供給される電力を非接触で受け付けるための２次コイルをアンテナとして持つ電子機器とを含む非接触給電システムが知られている。また、通信と給電とでアンテナを共用するシステムも知られている。
【０００３】
このようなシステムにおいて、１次コイルと２次コイルを用いた電力の授受の際に、最適な効率が得られるようにアンテナＱ値を切り替えることが知られている（特許文献１）。
【先行技術文献】
【特許文献】
【０００４】
【特許文献１】特開２０１１−３０４０４号公報
【発明の概要】
【発明が解決しようとする課題】
【０００５】
上述の特許文献１に開示された従来技術では、充電が必要か否かによって第１のＱ値と、それよりも大きい第２のＱ値を選択的に設定していた。
【０００６】
しかしながら、充電の必要性以外でもＱ値を切り替えたい場合がある。例えば、通信時と給電時に最適なＱ値に切り替えたい場合がある。しかし、特許文献１はその点を考慮していない。
【０００７】
そこで、本発明の目的は、通信時と給電時に最適なＱ値に切り替える給電機器を提供することにある。
【課題を解決するための手段】
【０００８】
上記の目的を達成するために、本発明に係る給電機器は、
受電機器を非接触で給電する給電手段と、受電機器と非接触で通信をする通信手段とアンテナと共振ピークの鋭さであるＱ値を算出するＱ値算出手段と、通信用または給電用の電力が通る伝送路とアンテナ間の反射波電力と進行波電力の比から電力比を算出する電力比算出手段と電力比を設定する設定手段と、前記電力比設定手段により通信用電力比の設定値と給電用電力比の設定値を判断する判断手段とを備え、Ｑ値算出手段は前記電力比算出手段により算出した電力比からＱ値を算出し、前記判断手段は電力比とＱ値に応じて通信用と給電用の設定値を判断し、前記設定手段により給電時と通信時で設定値を切り替えることを特徴とする。
【発明の効果】
【０００９】
本発明によれば、通信と給電に最適なＱ値で給電と通信を行うことができる給電機器を提供することが出来る。
【図面の簡単な説明】
【００１０】
【図１】本実施例におけるシステムの構成を示した図である。
【図２】本実施例におけるシステムのブロック構成を示した図である。
【図３】本実施例における給電機器の整合回路と整合検出回路の一例を示した図である。
【図４】本実施例における通信と給電に最適なＱ値を設定する為のＳＷＲ設定動作処理を示した図である。
【図５】本実施例における図４のＳＷＲ算出処理を示した図である。
【図６】本実施例における図４の給電調整値判定処理を示した図である。
【図７】本実施例における図６の直列側走査処理を示した図である。
【図８】本実施例における図６の並列側走査処理を示した図である。
【図９】本実施例における図６の給電用調整値最終決定処理の例１を示した図である。
【図１０】本実施例における図６の給電用調整値最終決定処理の例２を示した図である。
【図１１】本実施例における図４の通信調整値判定処理の例１を示した図である。
【図１２】本実施例における図４の通信調整値判定処理の例２を示した図である。
【図１３】本実施例における図４の最適Ｑ値を設定する処理を行うタイミングの例１を示した図である。
【図１４】本実施例における図４の最適Ｑ値を設定する処理を行うタイミングの例２を示した図である。
【図１５】本実施例における図４の最適Ｑ値を設定する処理を行うタイミングの例３を示した図である。
【図１６】本実施例における図４の最適Ｑ値を設定する処理を行うタイミングの例４を示した図である。
【図１７】本実施例における図５のＳＷＲ算出処理を行った結果を示した図である。
【発明を実施するための形態】
【００１１】
以下に、本発明の好ましい実施の形態を、添付の図面に基づいて詳細に説明するが、本実施形態に限定されず、その要旨の範囲内で種々の変形及び変更が可能である。
【００１２】
（実施例１）
以下、本発明の実施例１について、図面を参照して詳細に説明する。実施例に係るシステム構成は、図１に示すように、電子機器２００と、非接触で電子機器２００に電力の供給と通信をする給電機器１００とで構成される。
【００１３】
給電機器１００と電子機器２００との距離が所定の範囲内に存在する場合において、給電アンテナ１０８を有する給電機器１００は、給電アンテナ１０８を介して非接触により通信を行い、電子機器２００が受電可能な機器かを判断する。電子機器２００が受電可能な機器だと分かると、給電アンテナ１０８を介して給電用の電力を出力して電子機器２００に電力を供給する。
【００１４】
受電アンテナ２０１を有する電子機器２００は、受電アンテナ２０１を介して給電機器１００から出力される電力を非接触により受け付ける。
【００１５】
給電機器１００と電子機器２００との距離が所定の範囲内に存在しない場合、給電機器１００は電子機器２００が所定の範囲内に存在しているか否かを検出するために、微弱な電力を一定間隔で出力する。検出の仕方は後述する。なお、所定の範囲とは、電子機器２００が給電機器１００から供給される電力によって、通信を行うことができる範囲である。
【００１６】
電子機器２００は、２次電池２１０から供給される電力によって動作する電子機器であれば、デジタルスチルカメラ、カメラ付き携帯電話、デジタルビデオカメラ等の撮像機器であってもよく、音声データや映像データの再生を行うプレイヤ等の再生機器であってもよい。
【００１７】
（給電機器１００のブロック図の説明）
図２は給電機器１００と、電子機器２００と有する本システムのブロック構成を示した図である。
【００１８】
給電機器１００は、図２に示すように、発振器１０１、電力送信回路１０２、整合検出回路１０３、整合回路１０４、ＣＰＵ１０５、変復調回路１０６、タイマー１０７、給電アンテナ１０８、ＲＯＭ１０９、ＲＡＭ１１０、変換部１１１、記録部１１２、表示部１１３、操作部１１４及び通信部１１５を有する。さらに、記憶部は記憶媒体１１２ａを有する。
【００１９】
発振器１０１は、ＡＣ電源から変換部１１１を介して供給される電力をＣＰＵ１０５によって設定された目標値に対応する電力に変換して電子機器２００に供給するために用いられる高い周波数を発振する。なお、発振器１０１は、水晶振動子等を用いる。
【００２０】
電力送信回路１０２は、変換部１１１から供給される電力と、発振器１０１によって発振される周波数とに応じて、給電アンテナ１０８を介して電子機器２００に供給するための電力を生成する。電力送信回路１０２は、内部にＦＥＴ等を有し、発振器１０１によって発振される周波数に応じて、内部のＦＥＴのソース・ドレインの端子間に流れる電流を制御することにより、電子機器２００に供給するための電力を発生させる。なお、電力送信回路１０２によって生成された電力は、整合検出回路１０３と整合回路１０４を介して、給電アンテナ１０８に供給される。
【００２１】
また、電力送信回路１０２によって生成される電力には、第１の電力と、第２の電力とがある。
【００２２】
第１の電力は、給電機器１００が電子機器２００を制御するためのコマンドを電子機器２００に送信するための電力である。第２の電力は、第１の電力よりも大きい電力である。例えば、第１の電力は、２Ｗ以下の電力であり、第２の電力は、３Ｗ〜１０Ｗまでの電力である。
【００２３】
なお、給電機器１００が第１の電力を電子機器２００に供給している場合、給電機器１００は、コマンドを電子機器２００に送信することができる。しかし、給電機器１００が第２の電力を電子機器２００に供給している場合、給電機器１００は、コマンドを電子機器２００に送信することができない。
【００２４】
また、第１の電力は、給電機器１００が電子機器２００以外のどのような機器に対しても、給電機器１００がコマンドを送信できるようにＣＰＵ１０５によって設定される電力である。
【００２５】
ＣＰＵ１０５は、電子機器２００に供給するための電力を、第１の電力及び第２の電力のいずれか一つに切り替えるように電力送信回路１０２を制御する。
【００２６】
整合検出回路１０３は電力送信回路１０２で発生した電力の進行波と給電アンテナ１０８からの反射波の電圧を測定し、電圧定在波比を検出する。ここで、電圧定在波（ＶＳＷＲ：Ｖｏｌｔａｇｅ  Ｓｔａｎｄｉｎｇ  Ｗａｖｅ  Ｒａｔｉｏ）とは、行波と反射波の電圧関係を示す数値であり、
ＶＳＷＲ＝（１＋ρ）／（１−ρ）
で表される。
但し、ρ＝（Ｚ−Ｚｏ）／（Ｚ＋Ｚｏ）＝Ｖｒ／Ｖｆ
（Ｚ：付加インピーダンス、Ｚｏ伝送線路の特性インピーダンス、Ｖｆ：進行波の振幅電圧、Ｖｒ：反射波の振幅電圧）
である。
このＶＳＷＲを検出する事で、インピーダンスがマッチングしているかどうかが分かる。インピーダンスがマッチングした状態は反射波の振幅電圧がゼロとなりＺ＝ＺｏでＶＳＷＲは１となる
整合回路１０４は、可変コンデンサ、可変コイルや可変抵抗等の素子で構成される。整合回路１０４は、これらの素子に応じて、整合検出回路１０３側の伝送路のインピーダンスと給電アンテナ１０８との間のインピーダンスのマッチングを行う。また、整合回路１０４は、可変コンデンサ、可変コイルや可変抵抗の全てを有す必要はない。
【００２７】
整合回路１０４は、発振器１０１によって発振される周波数に応じて、給電アンテナ１０８と、ＣＰＵ１０５により選択された給電の対象となる機器が有する受電アンテナとの間で共振を行うための共振回路でもある。
【００２８】
なお、共振周波数ｆは、給電機器１００と、給電機器１００が給電の対象となる機器とが共振するための周波数である。給電機器１００と、給電機器１００が給電の対象となる機器とが共振を行うための周波数を以下「共振周波数ｆ」と呼ぶ。
【００２９】
下記の式１は、共振周波数ｆを示す対象物とする。Ｌは、整合回路１０４のインダクタンス、Ｃは整合回路１０４のキャパシタンスを示す。
【００３０】
【数１】
2017121097.tif 000003
また、整合回路１０４は、可変コンデンサ以外にもさらにコンデンサを有していてもよく、可変コイル以外にさらにコイルを有していてもよく、可変抵抗以外にさらに抵抗を有していてもよい。
【００３１】
なお、ＣＰＵ１０５は、可変コンデンサや可変コイルの値を制御することによって、発振器１０１によって発振される周波数で給電アンテナ１０８から出力される電力が共振周波数ｆになるように設定する。
【００３２】
なお、共振周波数ｆは、商用周波数であるコンデンサ３０６ｃ０Ｈｚであってもよく、１０〜数百ｋＨｚであってもよく、１０ＭＨｚ前後の周波数であってもよい。
【００３３】
ＣＰＵ１０５は、ＡＣ電源と給電機器１００とが接続されている場合、ＡＣ電源から変換部１１１を介して供給される電力によって、給電機器１００の各部を制御する。また、ＣＰＵ１０５は、ＲＯＭ１０９に記憶されているコンピュータプログラムを実行することによって、給電機器１００の各部の動作を制御する。ＣＰＵ１０５は電力送信回路１０２を制御することにより電子機器２００に供給する電力を制御する。また、ＣＰＵ１０５は、変復調回路１０６を制御することにより、コマンドを電子機器２００に送信する。
【００３４】
変復調回路１０６は、電子機器２００を制御するためのコマンドを電子機器２００に送信するために、予め定められたプロトコルに応じて、電力送信回路１０２によって生成された電力の変調を行う。予め定められたプロトコルとは、例えば、ＲＦＩＤ（Ｒａｄｉｏ  Ｆｒｅｑｕｅｎｃｙ  ＩＤｅｎｔｉｆｉｃａｔｉｏｎ）等のＩＳＯ／ＩＥＣ  １８０９２規格に準拠した通信プロトコルである。電力送信回路１０２によって発生された電力は、変復調回路１０６によって、電子機器２００と通信を行うためのコマンドとして、パルス信号に変換され、給電アンテナ１０８を介して電子機器２００に送信される。また、予め定められたプロトコルは、ＮＦＣ（Ｎｅａｒ  Ｆｉｅｌｄ  Ｃｏｍｍｕｎｉｃａｔｉｏｎ）の規格と互換性がある通信プロトコルであってもよい。
【００３５】
電子機器２００に送信されたパルス信号は、電子機器２００により解析されることによって、「１」の情報と、「０」の情報とを含むビットデータとして検出される。なお、コマンドには、宛先を識別するための識別情報及びコマンドによって指示される動作を示すコマンドコード等が含まれる。なお、ＣＰＵ１０５は、コマンドに含まれる識別情報を変更するように変復調回路１０６を制御することによって、電子機器２００だけにコマンドを送信することもできる。また、ＣＰＵ１０５は、コマンドに含まれる識別情報を変更するように変復調回路１０６を制御することによって、電子機器２００及び電子機器２００以外の機器に対しても、コマンドを送信することもできる。
【００３６】
変復調回路１０６は、電力送信回路１０２によって発生された電力を、振幅変位を利用したＡＳＫ（Ａｍｐｌｉｔｕｄｅ  Ｓｈｉｆｔ  Ｋｅｙｉｎｇ）変調によって、パルス信号に変換する。ＡＳＫ変調は、振幅変位を利用した変調であり、ＩＣカードと、ＩＣカードと非接触により通信を行うカードリーダとの通信等で用いられる。
【００３７】
変復調回路１０６は、変復調回路１０６に含まれるアナログ乗算器や負荷抵抗をスイッチングさせることにより電力送信回路１０２によって生成された電力の振幅を変更することによって、パルス信号に変更する。変復調回路１０６によって変更されたパルス信号は、給電アンテナ１０８に供給され、コマンドとして電子機器２００に送信される。
【００３８】
さらに、変復調回路１０６は、所定の符合化方式による符合化回路を有する。
【００３９】
変復調回路１０６は、整合回路１０４において検出される給電アンテナ１０８に流れる電流の変化に応じて、電子機器２００に送信したコマンドに対する電子機器２００からの返答を符号化回路により復調することができる。このことによって、変復調回路１０６は、負荷変調方式によって電子機器２００に送信したコマンドに対する返答を、電子機器２００から受信することができる。変復調回路１０６は、ＣＰＵ１０５からの指示に応じてコマンドを電子機器２００に送信する。さらに、変復調回路１０６は、電子機器２００からの返答を受信した場合、受信した返答を復調してＣＰＵ１０５に供給する。
【００４０】
タイマー１０７は、現在の時刻や各部で行われる動作や処理に関する時間を計測する。また、タイマー１０７によって計測される時間に対する閾値は、ＲＯＭ１０９にあらかじめ記録されている。
【００４１】
給電アンテナ１０８は、電力送信回路１０２により生成された電力を外部に出力するためのアンテナである。
【００４２】
給電機器１００は、給電アンテナ１０８を介して電子機器２００に電力を供給したり、コマンドを送信したりする。また、給電機器１００は、給電アンテナ１０８を介して電子機器２００からコマンド、電子機器２００に送信したコマンドに対応する返答及び電子機器２００から送信された情報を受信する。
【００４３】
ＲＯＭ１０９は、給電機器１００の各部の動作を制御するコンピュータプログラム及び各部の動作に関するパラメータ等の情報を記憶する。また、ＲＯＭ１０９は、表示部１１３に表示させるための映像データを記録している。
【００４４】
ＲＡＭ１１０は、書き換え可能な不揮発性メモリであり、一時的に給電機器１００の各部の動作を制御するコンピュータプログラム、各部の動作に関するパラメータ等の情報、変復調回路１０６によって電子機器２００から受信された情報等を記録する。
【００４５】
変換部１１１は、ＡＣ電源と給電機器１００とが接続されている場合、ＡＣ電源から供給される交流電力を直流電力に変換し、変換した直流電力を給電機器１００全体に供給する。
【００４６】
記録部１１２は、通信部１１５によって受信された映像データや音声データ等のデータを記録媒体１１０ａに記録する。
【００４７】
また、記録部１１２は、映像データや音声データ等のデータを記録媒体１１０ａから読み出し、ＲＡＭ１１０、通信部１１５及び表示部１１３に供給することもできる。
【００４８】
なお、記録媒体１１０ａは、ハードディスクやメモリカード等であってもよく、給電機器１００に内蔵されていても、給電機器１００に着脱可能な外部の記録媒体であってもよい。
【００４９】
表示部１１３は、記録部１１２によって記録媒体１１０ａから読み出される映像データ、ＲＡＭ１１０から供給される映像データ、ＲＯＭ１０９から供給される映像データ及び通信部１１５から供給される映像データのいずれか一つの映像データを表示する。表示部１１３は、記録媒体１１０ａから読み出された映像データやＲＯＭ１０９にあらかじめ記録されているアイコンやメニュー画面等を表示することもできる。
【００５０】
操作部１１４は、給電機器１００を操作するためのユーザインターフェースを提供する。操作部１１４は、給電機器１００を操作するための電源ボタン、給電機器１００の動作モードを切り換えるモード切換ボタン、給電機器１００の設定を変更するための設定変更ボタン等を有し、各ボタンはスイッチ、タッチパネル等により構成される。
【００５１】
ＣＰＵ１０５は、操作部１１４を介して入力されたユーザの指示に従って給電機器１００を制御する。なお、操作部１１４は、不図示のリモートコントローラから受信したリモコン信号に応じて給電機器１００を制御する対象物であってもよい。
【００５２】
通信部１１５は、ＲＡＭ１１０及び記録媒体１１０ａのいずれか一つから供給された映像データや音声データを電子機器２００に送信する。また、通信部１１５は、電子機器２００から給電機器１００に送信される映像データや音声データを受信する。
【００５３】
例えば、通信部１１５は、ＵＳＢやＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等のインターフェースに応じて、通信を行ってもよい。また、通信部１１５は、非接触通信方式に準拠した通信を行ってもよい対象物とする。また、例えば、通信部１１５は、非接触ＬＡＮ規格に規定されている８０２．１１ａ、ｂ、ｇ、ｎ規格に応じて非接触通信を行っても良いもよい。通信部１１５は、非接触ＬＡＮ規格に準拠した信号に変調することにより映像データや音声データの送信や受信を行ってもよい。
【００５４】
なお、通信部１１５は、変復調回路１０６によりコマンドが給電アンテナ１０８を介して電子機器２００に送信されている場合であっても、電子機器２００から映像データや音声データを受信したり、映像データや音声データを電子機器２００に送信したりできる。
【００５５】
また、通信部１１５は、コマンドに対応する返答が給電アンテナ１０８を介して電子機器２００から変復調回路１０６により受信されている場合でも、電子機器２００から映像データや音声データを受信したり、映像データや音声データを電子機器２００に送信したりできる。
【００５６】
給電機器１００は、さらに不図示のスピーカ部を有していてもよい。不図示のスピーカ部は、記録部１１２によって記録媒体１１０ａから読み出される音声データ、ＲＯＭ１０９から供給される音声データ、ＲＡＭ１１０から供給される音声データ及び通信部１１５から供給される音声データのいずれか一つを出力する対象物とする。
【００５７】
給電機器１００が電子機器２００に対して給電アンテナ１０８を介して電力を供給する場合、電力送信回路１０２、整合回路１０４、変復調回路１０６及び給電アンテナ１０８によって、第１の電力及び第２の電力のいずれか一つが電子機器２００に出力される。
【００５８】
給電機器１００が電子機器２００に対して給電アンテナ１０８を介してコマンドを送信する場合、電力送信回路１０２、整合回路１０４、変復調回路１０６及び給電アンテナ１０８によって、第１の電力と、コマンドとが電子機器２００に供給される。
【００５９】
給電機器１００が映像データ及び音声データの少なくとも一つを電子機器２００に送信する場合、通信部１１５によって、映像データ及び音声データの少なくとも一つが電子機器２００に送信される。
【００６０】
給電機器１００が映像データ及び音声データの少なくとも一つを電子機器２００から受信する場合、通信部１１５によって、映像データ及び音声データの少なくとも一つが電子機器２００から受信される。
【００６１】
なお、通信部１１５が映像データ及び音声データの少なくとも一つを電子機器２００に送信している場合であっても、給電機器１００は、コマンドや情報を、給電アンテナ１０８を介して電子機器２００に送信することができる。また、通信部１１５が映像データ及び音声データの少なくとも一つを電子機器２００に送信している場合であっても、給電機器１００は、コマンドに対応する返答や情報を、給電アンテナ１０８を介して電子機器２００から受信することができる。
【００６２】
また、通信部１１５が映像データ及び音声データの少なくとも一つを電子機器２００から受信している場合であっても、給電機器１００は、コマンドや情報を、給電アンテナ１０８を介して電子機器２００に送信することができる。また、通信部１１５が映像データ及び音声データの少なくとも一つを電子機器２００から受信している場合であっても、給電機器１００は、コマンドに対応する返答や情報を、給電アンテナ１０８を介して電子機器２００から受信することができる。
【００６３】
（受電機器２００のブロック図の説明）
次に、図２を参照して、受電装置２００の構成の一例について説明を行う。
【００６４】
なお、受電装置２００の一例として、デジタルスチルカメラを挙げ、以下、説明を行う。
【００６５】
受電装置２００は、受電アンテナ２０１、整合回路２０２、整流平滑回路２０３、変復調回路２０４、ＣＰＵ２０５、ＲＯＭ２０６、ＲＡＭ２０７、レギュレータ２０８、充電制御部２０９、２次電池２１０及びタイマー２１１を有する。さらに、受電装置２００は、通信部２１２、撮像部２１３、記録部２１４、記憶媒体２１４ａ、操作部２１５を有する。
【００６６】
受電アンテナ２０１は、給電装置１００から供給される電力を受電するためのアンテナである。受電装置２００は、受電アンテナ２０１を介して、給電装置１００から電力を受電したり、コマンドを受信したりする。また、受電装置２００は、受電アンテナ２０１を介して給電装置１００を制御するためのコマンド及び給電装置１００から受信したコマンドに対応する返答を送信する。
【００６７】
整合回路２０２は、受電アンテナ２０１と変復調回路及び整流平滑回路２０３とインピーダンスマッチングを行うための回路である。また、給電装置１００の共振周波数ｆと同じ周波数で受電アンテナ２０１が共振するための回路でもある。
【００６８】
整合回路２０２は、整合回路１０３と同様にコンデンサ、コイル、可変コンデンサ、可変コイル及び抵抗等を有する。整合回路２０２は、給電装置１００の共振周波数ｆと同じ周波数で受電アンテナ２０１が共振するように、可変コンデンサのキャパシタンスの値、可変コイルのインダクタンスの値及び可変抵抗のインピーダンスの値を制御する。
【００６９】
また、整合回路２０２は、受電アンテナ２０１によって受電される電力を整流平滑回路２０３に供給する。
【００７０】
整流平滑回路２０３は、受電アンテナ２０１によって受電された電力からコマンド及びノイズを取り除き、直流電力を生成する。さらに、整流平滑回路２０３は、生成した直流電力を切換え回路２１６を通してレギュレータ２０８に供給する。整流平滑回路２０３は、受電アンテナ２０１によって受電される電力から取り除いたコマンドを変復調回路２０４に供給する。なお、整流平滑回路２０３は、整流用のダイオードを有し、全波整流及び半波整流のいずれか一つにより直流電力を生成する。
【００７１】
変復調回路２０４は、整流平滑回路２０３から供給されたコマンドを給電装置１００と予め決められた通信プロトコルに応じて解析し、コマンドの解析結果をＣＰＵ２０５に供給する。
【００７２】
給電装置１００から受電装置２００に対して電力が供給されている場合、ＣＰＵ２０５は、コマンド、コマンドに対する返答及び所定の情報を給電装置１００に送信するために変復調回路２０４に含まれる負荷を変動させるように変復調回路２０４を制御する。変復調回路２０４に含まれる負荷が変化する場合、給電アンテナ１０８に流れる電流が変化する。これにより、給電装置１００は、給電アンテナ１０８に流れる電流の変化を検出することによって、受電装置２００から送信されるコマンド、コマンド対する返答及び所定の情報を受信する。
【００７３】
ＣＰＵ２０５は、変復調回路２０４から供給された解析結果に応じて変復調回路２０４が受信したコマンドがどのコマンドであるかを判定し、受信したコマンドに対応するコマンドコードによって指定されている処理や動作を行うように受電装置２００を制御する。
【００７４】
また、ＣＰＵ２０５は、ＲＯＭ２０６に記憶されているコンピュータプログラムを実行することによって、受電装置２００の各部の動作を制御する。
【００７５】
ＲＯＭ２０６は、受電装置２００の各部の動作を制御するコンピュータプログラム及び各部の動作に関するパラメータ等の情報を記憶する。また、ＲＯＭ２０６には、給電装置１００と受電装置２００がお互いを認証する際に使用する受電装置２００の識別情報、受電装置２００のデバイス情報及び表示データ等が記録される。受電装置２００の識別情報とは、例えば、受電装置２００のＩＤを示す情報や受電装置２００の通信でのアドレスを示す情報である。受電装置２００のデバイス情報には、受電装置２００のメーカー名、受電装置２００の装置名、受電装置２００の製造年月日等が含まれる。
【００７６】
ＲＡＭ２０７は、書き換え可能な不揮発性メモリであり、一時的に給電装置１００の各部の動作を制御するコンピュータプログラム、各部の動作に関するパラメータ等の情報、給電装置１００から送信された情報等を記録する。
【００７７】
レギュレータ２０８は、整流平滑回路２０３から供給される電力の電圧及び２次電池２１０から供給される電力の電圧がＣＰＵ２０５によって設定された電圧値になるように制御する。なお、レギュレータ２０８は、スイッチングレギュレータであっても、リニアレギュレータであっても良い対象物とする。
【００７８】
レギュレータ２０８は、２次電池２１０から電力が供給されていないが、整流平滑回路２０３から電力が供給されている場合、整流平滑回路２０３からの電力を受電装置２００全体に供給する。
【００７９】
レギュレータ２０８は、整流平滑回路２０３から電力が供給されていないが、２次電池２１０から電力が供給されている場合、２次電池２１０から供給される電力を受電装置２００全体に供給する。
【００８０】
レギュレータ２０８は、整流平滑回路２０３及び２次電池２１０から電力が供給されている場合、整流平滑回路２０３と、２次電池２１０から供給される電力とを受電装置２００全体に供給することもできる。
【００８１】
充電制御部２０９は、レギュレータ２０８から電力を供給された場合、供給される電力に応じて、２次電池２１０の充電を行う。なお、充電制御部２０９は、急速充電として定電圧定電流方式により２次電池２１０の充電を行う対象物とする。充電制御部２０９は、バッテリが空の状態からある一定電圧になるまでは急速充電よりも微小な電力で充電を行う。
【００８２】
２次電池２１０は、受電装置２００に着脱可能な２次電池である。また、２次電池２１０は、充電可能な２次２次電池であり、例えばリチウムイオン２次電池等である。２次電池２１０は、受電装置２００の各部に対して電力を供給することができる。
【００８３】
タイマー２１１は、現在の時刻や各部で行われる動作や処理に関する時間を計測する。また、タイマー２１１によって計測される時間に対する閾値は、ＲＯＭ２０６にあらかじめ記録されている。
【００８４】
通信部２１２は、ＲＯＭ２０６や記録媒体２１４ａに記録されている映像データや音声データを給電装置１００に送信したり、給電装置１００から映像データや音声データを受信したりもできる。
【００８５】
通信部２１２は、通信部１１２と共通する通信プロトコルに応じて、映像データや音声データの送信や受信を行う。また、例えば、通信部２１２は、非接触ＬＡＮとして規定されている８０２．１１ａ、ｂ、ｇ、ｎ規格に従って、映像データや音声データの送信や受信を行ってもよい。
【００８６】
撮像部２１３は、被写体の光学から映像データを生成するための撮像素子、撮像素子で生成された映像データに対して画像処理を行う画像処理回路、映像データを圧縮したり、圧縮された映像データを伸長したりする圧縮伸長回路等を有する。撮像部２１３は、被写体の撮影を行い、撮影の結果により得られた静止画像や動画像等の映像データを記録部２１４に供給する。
【００８７】
記録部２１４は、撮像部２１３から供給された映像データを記録媒体２１４ａに記録する。撮像部２１３は、被写体の撮影を行うための必要な構成をさらに有していてもよい。
【００８８】
記録部２１４は、通信部２１２及び撮像部２１３のいずれか一つから供給された映像データや音声データ等のデータを記録媒体２１４ａに記録する。
【００８９】
また、記録部２１４は、映像データや音声データ等のデータを記録媒体２１４ａから読み出し、ＲＡＭ２０７及び通信部２１２に供給することもできる。
【００９０】
なお、記録媒体２１４ａは、ハードディスクやメモリカード等であってもよく、給電装置１００に内蔵されていても、給電装置１００に着脱可能な外部の記録媒体であってもよい。
【００９１】
操作部２１５は、受電装置２００を操作するためのユーザインターフェースを提供する。操作部２１５は、受電装置２００を操作するための電源ボタン及び受電装置２００の動作しているモードを切り換えるモード切換ボタン等を有し、各ボタンはスイッチ、タッチパネル等により構成される。ＣＰＵ２０５は、操作部２１５を介して入力されたユーザの指示に従って受電装置２００を制御する。なお、操作部２１５は、不図示のリモートコントローラから受信したリモコン信号に応じて受電装置２００を制御する対象物であってもよい。
【００９２】
なお、給電アンテナ１０８及び受電アンテナ２０１は、ヘリカルアンテナであっても、スパイラルアンテナであってもよく、メアンダラインアンテナ等の平面状のアンテナであってもよい対象物とする。
【００９３】
また、実施例において、給電装置１００によって行われる処理は、給電装置１００が電磁界結合によって受電装置２００に対して非接触で電力を供給するシステムにおいても適用できる対象物とする。同様に、実施例において、受電装置２００によって行われる処理は、給電装置１００が電磁界結合によって受電装置２００に対して非接触で電力を供給するシステムにおいても適用できる対象物とする。
【００９４】
また、給電アンテナ１０８として電極を給電装置１００に設け、受電アンテナ２０１として電極を受電装置２００に設けることにより、給電装置１００が電界結合により電力を受電装置２００に供給するシステムにおいても、本発明を適用することができる。
【００９５】
また、給電装置１００が電磁誘導によって非接触で受電装置２００に電力を供給するシステムにおいても、本発明を適用できる対象物とする。
【００９６】
また、実施例において、給電装置１００は、受電装置２００に対して非接触で電力を送信し、受電装置２００は、給電装置１００から非接触で電力を受電する対象物とした。しかし、「非接触」を「無線」や「無接点」と言い換えてもよい対象物とする。
【００９７】
（整合回路の説明）
図３（ａ）、図３（ｂ）に、本実施例における非接触給電機器の整合回路構成例を示す。
【００９８】
図３（ａ）は整合回路１０４の構成例であり、整合回路１０４は整合調整素子として可変コンデンサ３０１ａと可変コンデンサ３０２ａを有する。
【００９９】
可変コンデンサ３０１ａは整合検出回路１０３側の伝送路と給電アンテナ１０８との間に直列に配置している。
【０１００】
可変コンデンサ３０２ａは整合検出回路１０３側の伝送路と給電アンテナ１０８との間に並列に配置している。
【０１０１】
ＣＰＵ１０５は、直列側の可変コンデンサ３０１ａの容量と並列側の可変コンデンサ３０２ａの容量を変更することで、伝送路側のインピーダンスとアンテナ側のインピーダンスを調整しマッチングをとる。
【０１０２】
ここで、整合調整素子として可変コンデンサを用いているが可変コイルを用いてもよい。
【０１０３】
図３（ｂ）は整合回路１０４の別構成例であり、整合回路１０４は整合調整素子としてスイッチ３０１ｂ、スイッチ３０２ｂ、コンデンサ３０３ｂ、コンデンサ３０４ｂ、コンデンサ３０５ｂ、コンデンサ３０６ｂを有する。
【０１０４】
スイッチ３０１ｂ、コンデンサ３０３ｂ、コンデンサ３０４ｂは整合検出回路１０３側の伝送路と給電アンテナ１０８との間に直列に配置している。
【０１０５】
スイッチ３０２ｂ、ンデンサ３０５ｂ、コンデンサ３０６ｂは整合検出回路１０３側の伝送路と給電アンテナ１０８との間に並列に配置している。
【０１０６】
ＣＰＵ１０５はスイッチ３０１ｂのスイッチを選択することで、コンデンサ３０３ｂ、コンデンサ３０４ｂを選択して容量を変更する。
【０１０７】
また、ＣＰＵ１０５はスイッチ３０２ｂのスイッチを選択することで、コンデンサ３０５ｂ、コンデンサ３０６ｂを選択して容量を変更する。
【０１０８】
ＣＰＵ１０５は、直列側のスイッチ３０１ｂによりコンデンサ３０３ｂとコンデンサ３０４ｂを選択することで直列側の容量を変更し、並列側のスイッチ３０２ｂによりコンデンサ３０５ｂとコンデンサ３０６ｂを選択することで並列側の容量を変更することで、伝送路側のインピーダンスとアンテナ側のインピーダンスを調整しマッチングをとる。
【０１０９】
ここで、直列側、並列側のスイッチとコンデンサの個数はそれぞれ２個ずつとしているが、２個以上でもよい。
【０１１０】
また、整合調整素子としてコンデンサを用いているがコイルを用いてもよい。
【０１１１】
（整合検出回路の説明）
図３（ｃ）に、本実施例における非接触給電機器の整合検出回路構成を示す。
【０１１２】
図３（ｃ）の整合検出回路１０３の構成例であり、整合検出回路１０３はトロイダルコア３０１ｃ、コンデンサ３０２ｃ、コンデンサ３０３ｃ、コンデンサ３０６ｃ、コンデンサ３０７ｃ、抵抗３０５ｃ、抵抗３０９ｃ、ダイオード３０４ｃ、ダイオード３０８ｃ、Ａ／Ｄ（アナログデジタル）コンバータ３１０ｃ、Ａ／Ｄコンバータ３１１ｃで構成される。
【０１１３】
整合検出回路は、電力の進行波と給電側ループアンテナ２０８からの反射波をＣＭ結合により、進行波と反射波の振幅に比例した電圧をコンデンサ３０３ｃ、コンデンサ３０７ｃの電圧として受信でき、それぞれの電圧を、Ａ／Ｄコンバータ３１０ｃ、Ａ／Ｄコンバータ３１１ｃを用いてアナログ値からデジタル値に変更し、ＣＰＵ２０５へ検出信号として送る。ここで、ＣＭ結合とは誘電性結合と容量性結合により、結合されることであり、トロイダルコイル５０１はＣＭ結合のＭを表す誘導性結合で、コンデンサ３０２ｃ、コンデンサ３０６ｃはＣＭのＣを表す容量性結合となる。
【０１１４】
コンデンサ３０２ｃ、コンデンサ３０３ｃ、コンデンサ３０６ｃ、コンデンサ３０７ｃ、抵抗３０５ｃ、抵抗３０９ｃ、ダイオード３０４ｃ、ダイオード３０８ｃを予め調整しておくと、トロイダルコイル５０１より誘導性結合した進行波はコンデンサ３０２ｃで容量結合した進行波とで打ち消し合いコンデンサ３０３ｃには電圧がかからず、コンデンサ３０６ｃで容量結合した進行波とは打ち消し合わずに進行波に比例した電圧がコンデンサ３０７ｃにかかる。この電圧値をＡ／Ｄコンバータ３１０ｃからＣＰＵへ進行波の電圧値として送る。
【０１１５】
反射波は進行波の逆で、トロイダルコイル５０１より誘導性結合した反射波はコンデンサ３０６ｃで容量結合した反射波とで打ち消し合い、コンデンサ３０７ｃには電圧がかからず、コンデンサ３０２ｃで容量結合した反射波とは打ち消し合わずに反射波に比例した電圧がコンデンサ３０３ｃにかかる。この電圧値をＡ／Ｄコンバータ３１１ｃからＣＰＵへ反射波の電圧値として送る。
【０１１６】
ＣＰＵはこの反射波の振幅電圧に比例した電圧と進行波の電圧を検出することでＶＳＷＲを算出する。
【０１１７】
以下、動作処理を示すフローを説明していくが、各処理は、ＣＰＵ１０５がＲＯＭ１０９に記憶されているコンピュータプログラムを実行することによって制御される。
【０１１８】
（通信と給電に最適なＱ値に設定する為のＳＷＲ設定値の決定動作処理）
次に本実施例において、給電機器１００が通信と給電に最適なＱ値を設定する動作処理を、図４を用いて説明する。
【０１１９】
Ｓ４０１として、ＣＰＵ１０５は整合検出回路１０３により電圧定在波比（ＶＳＷＲ：以後ＳＷＲ値）を検出する為に電力送信回路１０２を制御することで給電アンテナ１０８からの非接触の電力を出力する。整合検出回路１０３は電力送信回路１０２で発生した電力の進行波と給電アンテナ１０８からの反射波の電圧を測定し、ＳＷＲ値を検出する。
【０１２０】
Ｓ４０２として、ＣＰＵ１０５は各整合調整素子を調整した際のＳＷＲ値を算出する為にＳＷＲ算出処理を行う。詳細は後述する。
【０１２１】
Ｓ４０３として、ＣＰＵ１０５はＳ４０２で算出した整合調整素子の調整値と調整した際のＳＷＲ値を用いて、給電用のＳＷＲ設定値を判定する給電調整値判定処理を行う。ここでＣＰＵ１０５が給電用のＳＷＲ設定値と判定するのは給電用に最適なＱ値となるＳＷＲ設定値である。詳細は後述する。
【０１２２】
Ｓ４０４として、ＣＰＵ１０５はＳ４０２で算出した整合調整素子の調整値と調整した際のＳＷＲ値を用いて、通信用のＳＷＲ設定値を判定する通信調整値判定処理を行う。ここでＣＰＵ１０５が通信用のＳＷＲ設定値と判定するのは通信用に最適なＱ値となるＳＷＲ設定値である。詳細は後述する。
【０１２３】
Ｓ４０５として、ＣＰＵ１０５はＳ４０３で判定した給電用のＳＷＲ設定値を給電時に整合回路１０４の調整値として整合素子を設定し、Ｓ４０４で判定した通信用のＳＷＲ設定値を通信時の整合回路１０４の設定値として整合素子を設定する。
【０１２４】
このようにして、給電機器１００は給電時にはＱ値を考慮した給電用のＳＷＲ設定値を設定し、通信時にはＱ値を考慮した通信用のＳＷＲ設定値を設定することで、通信時と給電時に最適なＱ値に変更することができる。
【０１２５】
（ＳＷＲマトリクスを作る為のＳ４０２のＳＷＲ算出処理）
次にＳ４０２のＳＷＲ算出処理を、図５を用いて説明する。
【０１２６】
ここでＣＰＵ１０５は整合回路１０４の各整合調整素子を順次制御するが、ここで説明する整合回路１０４は図３（ｂ）回路構成であり、直列、並列側にそれぞれスイッチが４個ずつと、容量の異なる整合調整素子（コンデンサ）がそれぞれ４個ずつある場合である。また、整合調整素子であるコンデンサの容量は例えば直列側が５ｐＦ、１０ｐＦ、２０ｐＦ、４０ｐＦ、並列側が１５ｐＦ、３０ｐＦ、６０ｐＦ、１２０ｐＦだとする。この場合、直列側、並列側で選択可能なパターンはそれぞれ１６通りであり、合計で２５６通りとなる。
【０１２７】
Ｓ５０１ａとして、ＣＰＵ１０５は整合回路１０４の各整合調整素子を順次調整する為に、直列側、並列側の調整素子をそれぞれ最小の値にする。例えば、ＣＰＵ１０５はスイッチ３０１ｂにより直列側のコンデンサの１０ｐＦのみを選択し、スイッチ３０２ｂにより１５ｐＦのみのコンデンサを選択する。
【０１２８】
Ｓ５０２ａとして、ＣＰＵ１０５は直列側、並列側それぞれが最小でのＳＷＲ値を整合検出回路１０３により進行波と反射波を検出しＳＷＲ値を算出し、ＲＡＭ１１０に記憶する。
【０１２９】
Ｓ５０３ａとして、ＣＰＵ１０５は直列側のコンデンサの１６通り全て設定したかを判断し、設定していない場合はＳ５０４ａに進む。１６通り全て設定した場合はＳ５０５ａへ進む。
【０１３０】
Ｓ５０４ａとして、ＣＰＵ１０５は直列側のコンデンサの容量を１段大きくする。この場合、ＣＰＵ１０５は５ｐＦよりも１つ大きい値である１０ｐＦのコンデンサのみを選択する。そしてＣＰＵ１０５はＳ５０２ａへ戻り、直列側が１０ｐＦの場合のＳＷＲ値を算出し記憶する。
【０１３１】
Ｓ５０５ａとして、ＣＰＵ１０５はＳ５０３ａで直列側は１６通り全て設定したので、コンデンサは５ｐＦ、１０ｐＦ、２０ｐＦ、４０ｐＦ全て選択された状態から、最小である５ｐＦのみに戻し、Ｓ５０６ａへ進む。
【０１３２】
Ｓ５０６ａとして並列側のコンデンサを１６通り全て設定したか否かを判断し、全て設定していない場合は、ＣＰＵ１０５は並列側のコンデンサを１段大きくする。この場合、ＣＰＵ１０５は１５ｐＦよりも１つ大きい３０ｐＦのみを選択し、Ｓ５０２ａへ戻り、再び直列側のコンデンサの容量を変えてＳＷＲ値を算出する。ＣＰＵ１０５は並列側のコンデンサを１６通り全て設定したと判断した場合は、本ＳＷＲ算出処理を終了する。
【０１３３】
このように本ＳＷＲ算出処理が終了すると、図１７のようなＳＷＲ値のマトリクス表（以後、ＳＷＲマトリクス）が得られる。このＳＷＲマトリクスはＲＡＭ１１０に記憶される。
【０１３４】
ここで図１７はＳＷＲマトリクスを表し、横が直列側コンデンサの選択値（設定値）でありる。値の０が最小で１０ｐＦを選択したことを表し、Ｅ（１６進数表記）が最大で全て選択したこと（この場合容量は７５ｐＦ）を示す。
【０１３５】
縦は並列側コンデンサの選択値（設定値）である。値の０が最小で１５ｐＦを選択したことを表し、Ｅが最大で全て選択したこと（この場合容量は２２５ｐＦ）を示す。
【０１３６】
そしてマトリクスの中の数字は直列、並列の各設定値でのＳＷＲ値を示している。ここでＳＷＲ値は値が小さい程マッチングの状態が良いことを示す。
【０１３７】
（Ｓ４０３の給電調整値判定処理の説明）
次にＳ４０３の給電調整値判定処理を、図６を用いて説明する。
【０１３８】
給電調整判定処理はＳ４０２で算出したＳＷＲマトリクスを用いて、給電用に最適なＱ値を持つＳＷＲ設定値を判定する処理である。
【０１３９】
Ｓ５０１ｂとして、ＣＰＵ１０５はＳＷＲマトリクスのＳＷＲ値を直列側で走査する。そしてＣＰＵ１０５は所定のＳＷＲ値以下（例えばＳＷＲ値が１．７以下）でり、横軸通しで隣り合うＳＷＲ値の差分を算出し、その差分が大きな大きい値のコンデンサ設定値を検出する。詳細は後述する。
【０１４０】
Ｓ５０２ｂとして、ＣＰＵ１０５はＳＷＲマトリクスのＳＷＲ値を並列側で走査する。そしてＣＰＵ１０５は所定のＳＷＲ値以下（例えばＳＷＲ値が１．７以下）でり、横軸通しで隣り合うＳＷＲ値の差分を算出し、その差分が大きな大きい値のコンデンサ設定値を検出する。
【０１４１】
Ｓ５０３ｂとして、ＣＰＵ１０５はＳ５０２ｂとＳ５０３ｂで検出したり合うＳＷＲ値の差分から給電用のコンデンサ調整値と決定する。詳細は後述する。
【０１４２】
Ｓ５０３ｂにより給電用のコンデンサ調整値を決定すると、Ｓ４０３である本給電調整値判定処理を終了する。
【０１４３】
（Ｓ４０３のサブフローであるＳ５０１ｂとＳ５０２ｂの説明）
次にＳ５０１ｂの直列側走査処理を、図７を用いて説明する。
【０１４４】
Ｓ５０１ｃとして、ＣＰＵ１０５は初期設定として並列側のコンデンサ設定値を最小にする。この場合、並列側のコンデンサを選択するのではなく、ＲＡＭ１１０上に記憶されたＳＷＲマトリクスの並列側設定値０を選択することである。
【０１４５】
Ｓ５０２ｃとして、ＣＰＵ１０５は初期設定として直列側のコンデンサの設置値を最小にする。この場合、直列側のコンデンサを選択するのではなく、ＲＡＭ１１０上に記憶されたＳＷＲマトリクスの直列側設定値０を選択することである。
【０１４６】
Ｓ５０３ｃとして、ＣＰＵ１０５は読み出したＳＷＲ値が所定の第１の閾値（以下所定の第１閾値は１．７とする）以下か否かを判断する。この場合、ＣＰＵ１０５が読み出したのは並列側０、直列側０のＳＷＲ値である。ここで、第１の処理の閾値は給電するのにマッチングの状態が適正か否かを判断する為の閾値である。
【０１４７】
ＣＰＵ１０５はＳ５０３ｃで読み出したＳＷＲ値が１．７以下であると判断するとＳ５０４ｃへ進み、１．７より大きいと判断するとＳ５０５ｃへと進む。
【０１４８】
Ｓ５０５ｃとして、ＣＰＵ１０５はＳＷＲマトリクスの直列側を一段大きい設定値にして、ＳＷＲ設定値を読み出す。この場合、並列側０で直列側は１のＳＷＲ値である。そしてＳ５０３ｃへと戻り、ＳＷＲ値が１．７以下か否かを判断する。
【０１４９】
Ｓ５０４ｃとして、ＣＰＵ１０５は読み出したＳＷＲマトリクスが直列側の最小か否かを判断する。この場合、ＣＰＵ１０５は直列側の設定値が０か否かを判断する。
【０１５０】
ＣＰＵ１０５は読み出した直列側の設定値が０と判断するとＳ５０６ｃへ進み、０ではないと判断するとＳ５０８ｃへ進む。
【０１５１】
Ｓ５０６ｃとして、ＣＰＵ１０５は読み出すＳＷＲマトリクスの直列側の設定値を１段大きくする。直前の直列側の設定値が０、並列側の設定値が０なら、直列側１、並列側０のＳＷＲ値を読み出し、Ｓ５０７ｃへと進む。
【０１５２】
Ｓ５０７ｃとして、ＣＰＵ１０５はＳ５０３ｃで読み出したＳＷＲ値とＳ５０６ｃで読み出したＳＷＲ設定値の差分を計算し、差分値と設定値をＲＡＭ１１０に記憶する。
【０１５３】
例えばＳ５０３ｃでＣＰＵ１０５が読み出した設定値が直列側０、並列側０（以下直列設定値と並列設定値の行列（０，０）と記載する）で、ＳＷＲが１．６とする。Ｓ５０６ｃでＣＰＵ１０５が読み出したＳＷＲ設定値が（１、０）で、ＳＷＲが２．５で有る場合、ＣＰＵ１０５は（０，０）の差分値が０．９（２．５−１．６の絶対値）をしてＲＡＭ１１０に記憶する。記憶するとＣＰＵ１０５はＳ５０３ｃへ戻り、現在の設定値（１，０）のＳＷＲが１．７以下か否かを判断する。
【０１５４】
Ｓ５０８ｃとして、ＣＰＵ１０５はＳ５０３ｃで読み出した直列側の設定値の最大値か否かを判断する。この場合、ＣＰＵ１０５は直列側の設定値がＥか否かを判断する。
【０１５５】
ＣＰＵ１０５はＳ５０３ｃで読み出した直列側の設定値がＥであると判断した場合はＳ５０９ｃへ進む。ＣＰＵ１０５はＳ５０３ｃで読み出した直列側の設定値がＥではないと判断した場合は、Ｓ５１３ｃへと進む。
【０１５６】
Ｓ５０９ｃとして、ＣＰＵ１０５は直列側の１段小さい設定値のＳＷＲ値を読み出す。例えばＳ５０３ｃで読み出した設定値が（Ｅ，０）なら（Ｄ，０）を読み出す。ここで、Ｓ５０９ｃは、Ｓ５０８ｃで直列側の設定値が最大Ｅと判断したので、直列側の１つ小さい値はＤである。ＣＰＵ１０５は（Ｅ，０）と（Ｄ，０）の差分と算出し、（Ｅ，０）の差分値としてＲＡＭ１１０に記憶し、Ｓ５１１ｃへと進む。
【０１５７】
Ｓ５１１ｃとして、ＣＰＵ１０５はＳ５１０で記憶した並列側の設定値が最大Ｅか否かを判断する。並列側の設定値が最大Ｅではないと判断すると、ＣＰＵ１０５はＳ５１２ｃへと進む。並列側の設定値が最大Ｅであると判断するとＳＷＲマトリクスを直列側で全て走査したので本直列走査処理を終了する。
【０１５８】
Ｓ５１２ｃとして、ＣＰＵ１０５は並列側固定で直列側を最大値まで走査したので、並列側の設定値を１つ大きくしてＳ５０３ｃへと戻る。
【０１５９】
Ｓ５１３ｃとして、ＣＰＵ１０５は直列側の１段小さい設定値を読み出す。例えば、現在の設定値が（Ａ、０）の場合は（９、０）を読み出しＳ５１４ｃへ進む。ここで、Ｓ５０４ｃとＳ５０８ｃの判断結果によりＳ５１３ｃの現在の直列側の設定値は０又はＥ以外である。
【０１６０】
Ｓ５１４ｃとして、ＣＰＵ１０５はＳ５１３ｃで読み出した１段小さい設定値でのＳＷＲ値との差分を算出しＲＡＭ１１０に一時的に記憶し、Ｓ５１５ｃへと進む。この場合、（Ａ、０）と（９、０）の差分値を（Ａ、０）算出する。
【０１６１】
Ｓ５１５ｃとして、ＣＰＵ１０５は直列側の１段大きい設定値のＳＷＲ値を読み出しＳ５１６ｃへと進む。この場合は（Ｂ，０）でＳＷＲ値である。
【０１６２】
Ｓ５１６ｃとして、ＣＰＵ１０５は直列側の１段大きい設定値のＳＷＲ値との差分を算出しＲＡＭ１１０に一時的に記憶し、Ｓ５１７へ進む。この場合、（Ｂ、０）と（Ａ、０）との差分値を（Ａ、０）の差分値として記憶する。
【０１６３】
Ｓ５１７ｃとして、ＣＰＵ１０５はＳ５１４ｃとＳ５１６ｃで一時的に記憶した差分値を比較し差分の大きい方の値をＲＡＭ１１０に保持し、小さい方は消去し、Ｓ５０３ｃに戻る。ここで、Ｓ５０３ｃでＣＰＵ１０５によりＳＷＲ値が１．７以下か否かを判断する読み出すあたいは最新の設定値である（Ｂ、０）である。
【０１６４】
このように、Ｓ５０１ｂの直列側走査処理により直列側を走査した場合のコンデンサ設定値と差分値が得られる。
【０１６５】
図８は並列側走査処理５０２ｂを示した図であるが、これは図７の並列と直列の言葉入れ替えればよいだけなので、詳細な説明は割愛する。
【０１６６】
Ｓ５０２ｂの並列側走査処理により並列側を走査した場合のコンデンサ設定値と差分値が得られる。
【０１６７】
（Ｓ５０３ｂ給電用調整値最終決定処理の説明）
次に、Ｓ５０３ｂの給電用調整最終決定処理を、図９と図１０を用いて説明である。
【０１６８】
図９はＳ５０１ｂの直列側走査処理とＳ５０２ｂの並列側走査処理の結果から、一番差分の大きい値を給電用のＳＷＲ設定値（コンデンサ設定値）として決める場合である。図１０はＳ５０１ｂの直列側走査処理とＳ５０２ｂの並列側走査処理の結果から得られた調整値から、更にその隣あう調整が第１の閾値以下（ＳＷＲ１．７以下）か否かを判断して、連続して第１の閾値以下の値が続く時はその中心の値を給電用のＳＷＲ設定値にする場合である。
【０１６９】
まずは、Ｓ５０３ｂの給電用調整最終決定処理を、図９の場合について説明する。
【０１７０】
Ｓ５０１ｅとして、ＣＰＵ１０５はＳ５０１ｂの直列側走査処理とＳ５０２ｂの並列側走査処理で記憶された全ての差分値とそのＳＷＲ設定値を読み出す。
【０１７１】
Ｓ５０２ｅとして、ＣＰＵ１０５は読み出した全てのＳＷＲ設定値から最大の差分値であるＳＷＲ設定値を給電用のＳＷＲ設定値に決定する。
【０１７２】
ここで、例えば、Ｓ５０１ｂの直列側走査処理の結果、最大の差分である調整値（８，５）の差分値が１．５であったとする。また、Ｓ５０２ｂの並列側走査処理の結果、最大の差分である調整値（９、６）の差分値が１．６であったとすると、差分値が一番大きい（９、６）が給電用のＳＷＲ設定値となる。
【０１７３】
このようにして、隣り合うＳＷＲ値の差分値が大きい調整値を給電用のＳＷＲ設定値とするので、ＳＷＲが急峻に変化する、つまりＱ値が高い場所を給電用のＳＷＲ設定値に選定することができる。
【０１７４】
次に、Ｓ５０３ｂの給電用調整最終決定処理を、図１０の場合について説明する。
【０１７５】
Ｓ５０１ｆとして、ＣＰＵ１０５は直列側走査処理とＳ５０２ｂの並列側走査処理で記憶された全ての差分値とそのＳＷＲ設定値を読み出す。
【０１７６】
Ｓ５０２ｆとして、ＣＰＵ１０５はＳ５０２ｅと同様に最大差分値のＳＷＲ設定値を判別し、Ｓ５０３ｆへ進む。
【０１７７】
Ｓ５０３ｆといて、ＣＰＵ１０５はＳ５０２ｆで判別したＳＷＲ設定値よりも１段大きいＳＷＲ設定値のＳＷＲ値を読み出し、Ｓ５０４ｆへと進む。ここで、１段断大きいＳＷＲ設定値とは、最大の差分である調整値（９、６）が並列側走査の結果で有った場合は、（９、７）である。
【０１７８】
Ｓ５０４ｆとして、ＣＰＵ１０５はＳ５０３ｆで読み出したＳＷＲ値が第１の閾値（１．７）以下か否かを判断する。ＣＰＵ１０５は読み出したＳＷＲ値が第１の閾値以下と判断した場合はＳ５０５ｆへと進み、第１の閾値以下ではないと判断した場合は、Ｓ５０６ｆへと進む。
【０１７９】
Ｓ５０５ｆとして、ＣＰＵ１０５は大きい側に連続している個数をカウントし、Ｓ５０３ｆへ戻る。
【０１８０】
Ｓ５０６ｆとして、ＣＰＵ１０５はＳ５０２ｆで判別した最大差分値のＳＷＲ設定値を再び読み出すし、Ｓ５０７ｆへと進む。
【０１８１】
Ｓ５０７ｆとして、ＣＰＵ１０５はＳ５０６ｆで読み出したＳＷＲ設定値の１段小さいＳＷＲ設定値のＳＷＲ値を読み出し、Ｓ５０８ｆへと進む。こで、１段断大きいＳＷＲ設定値とは、最大の差分である調整値（９、６）が並列側走査の結果で有った場合は、（９、５）である。
【０１８２】
Ｓ５０８ｆとして、ＰＵ１０５はＳ５０７ｆで読み出したＳＷＲ値が第１の閾値（１．７）以下か否かを判断する。ＣＰＵ１０５は読み出したＳＷＲ値が第１の閾値以下と判断した場合はＳ５０９ｆへと進み、第１の閾値以下ではないと判断した場合はＳ５１０ｆへと進む。
【０１８３】
Ｓ５０９ｆとして、ＣＰＵ１０５は小さい側に連続している個数をカウントし、Ｓ５０７ｆへ戻る。
【０１８４】
Ｓ５１０ｆとして、ＣＰＵ１０５はＳ５０５ｆでカウントした最大差分値のＳＷＲ設定値の大きい側の個数と、Ｓ５０９ｆでカウントした最大差分値のＳＷＲ設定値の小さい側の個数の合計個数を算出し、その中心点を給電用のＳＷＲ設定値に決定する。
【０１８５】
そして、本給電用調整値最終決定処理を終了する。
【０１８６】
例えば最大の差分である調整値（９、６）から大きい側に３個、小さい側に１個で有った場合、給電用のＳＷＲ設定値は（９，７）となる。
【０１８７】
このようにして、隣り合うＳＷＲ値の差分値が大きい調整値と、その調整値の隣り合う調整値も給電用の基準を満たしているか（第１の閾値以下であるか）を判断し、その中心を給電用のＳＷＲ設定値とすることで、処理数は増えるが、Ｑ値が高いが図９よりも広帯域なＳＷＲ設定値を選定することができる。
【０１８８】
（Ｓ４０４通信調整値判定処理の説明）
次にＳ４０４の通信調整値判定処理を図１１と図１２を用いて説明する。
【０１８９】
図１１は通信用の判定基準値（第２の閾値）以下の値が走査方向に続く個数（１次元での個数）の最大を判別し、通信用のＳＷＲ設定値を判定する。図１２は通信用の判定基準値（第２の閾値）以下の値が面積的に連続する個数（２次元での個数）の最大を判別し、通信用のＳＷＲ設定値を判定する。ここで第２の閾値は第１の閾値よりも大きい値である。例えば第１の閾値がＳＷＲ１．７なら、第２の閾値はＳＷＲ値２．０とする。
【０１９０】
まずは、Ｓ４０４の通信調整値判定処理を、図１１を用いて説明する。
【０１９１】
Ｓ５０１ｇとして、ＣＰＵ１０５はＳＷＲマトリクスの読み出すアドレスの初期化の為、並列側の読み出す調整素子を最初値に設定する。
【０１９２】
Ｓ５０２ｇとして、ＣＰＵ１０５はＳＷＲマトリクスの読み出すアドレスの初期化の為、直列側の調整素子を最初値に設定する。
【０１９３】
Ｓ５０３ｇとして、ＣＰＵ１０５は読み出したＳＷＲ設定値が第２の閾値以下か否か（ＳＷＲ２．０以下か否か）を判断する。読み出したＳＷＲ値が第２の閾値以下の場合、ＣＰＵ１０５はＳ５０４ｇへ進み、読み出したＳＷＲ値が第２の閾値以下ではない場合は、Ｓ５０６ｇへと進む。
【０１９４】
Ｓ５０４ｇとして、ＣＰＵ１０５は第２の閾値以下のＳＷＲ設定値が連続している個数をカウントし、Ｓ５０５ｇへと進む。
【０１９５】
Ｓ５０５ｇとして、ＣＰＵ１０５はＳＷＲマトリクスの読み出すアドレスの直列側のＳＷＲ設定値を１段大きくして、Ｓ５０３ｇへと戻る。
【０１９６】
Ｓ５０６ｇとして、ＣＰＵ１０５はカウントした第２の閾値以下のＳＷＲ設定値が連続している個数を記憶し、Ｓ５０７ｇへと進む。
【０１９７】
Ｓ５０７ｇとして、ＣＰＵ１０５は現在のＳＷＲマトリクスの読み出すアドレスの設定値が直列側の最大ＳＷＲ設定値Ｅか否かを判断し、最大ＳＷＲ設定値Ｅであると判断すると、Ｓ５０８ｇへと進み、最大ＳＷＲ設定値Ｅではないと判断すると、Ｓ５０５ｇへと進む。
【０１９８】
Ｓ５０８ｇとして、ＣＰＵ１０５は現在のＳＷＲマトリクスを読み出すアドレス設定値が並列側の最大ＳＷＲ設定値Ｅか否かを判断し、最大ＳＷＲ設定値Ｅであると判断すると、Ｓ５１１ｇへと進み、最大ＳＷＲ設定値Ｅではないと判断するとＳ５０９ｇへと進む。
【０１９９】
Ｓ５０９ｇとして、ＣＰＵ１０５はＳＷＲマトリクスの読み出すアドレスの並列側のＳＷＲ設定値を１段大きくして、Ｓ５１０ｇへと進む。
【０２００】
Ｓ５１０ｇとして、ＣＰＵ１０５は直列側の読み出すアドレスを最小に設定し、Ｓ５０３ｇへと進む。
【０２０１】
Ｓ５１１ｇとして、ＣＰＵ１０５はＳ５０６で記憶した連続する第２の閾値以下のカウント値が一番大きく、更にその中心のＳＷＲ設定値を通信用のＳＷＲ設定値（ＳＷＲ設定値）に決定し、本通信調整値判定処理を終了する。
【０２０２】
この結果、通信用なので、給電用の基準値である第１の閾値（ＳＷＲ１．７）よりは大きい基準である第２の基準値（ＳＷＲ２．０）であるが、広範囲に基準値以下のＳＷＲが広がっているＳＷＲ設定値を判定することができる。これにより、通信用に最適なＱ値（給電よりはＱ値が小さいが、広範囲で良好な通信が可能であるＳＷＲ設定値）を選択することができる。
【０２０３】
ここで、図１１の直列という文言を並列と置き換えれば、図７と図８の関係と同様に、並列側を走査した場合の通信用ＳＷＲ設定値を判定することができる。
【０２０４】
また、図１１の直列側走査の結果と、上記並列側走査の結果から図９と同様にカウント数が大きい方の通信用のＳＷＲ調整としてもよい。
【０２０５】
まずは、Ｓ４０４の通信調整値判定処理を、図１２を用いて説明する。
【０２０６】
図１２は前述の通り、通信用の判定基準値（第２の閾値）以下の値が面積的に連続する個数（２次元での個数）の最大を判別し、通信用のＳＷＲ設定値を判定する場合である。
【０２０７】
Ｓ５０１ｈとして、ＣＰＵ１０５はＳＷＲマトリクスの読み出すアドレスの初期化の為、並列側の読み出す調整素子を最初値に設定する。
【０２０８】
Ｓ５０２ｈとして、ＣＰＵ１０５はＳＷＲマトリクスの読み出すアドレスの初期化の為、直列側の調整素子を最初値に設定する。
【０２０９】
Ｓ５０３ｈとして、ＣＰＵ１０５は読み出したＳＷＲ値が第２の閾値以下か否かを判断し、第２の閾値以下の場合はＳ５０４ｈへと進み、第２の閾値以下ではないと判断した場合はＳ５０６ｈへと進む。
【０２１０】
Ｓ５０４ｈとして、ＣＰＵ１０５は第２の閾値以下のＳＷＲ設定値が連続している個数をカウントし、Ｓ５０５ｈへと進む。
【０２１１】
Ｓ５０５ｈとして、ＣＰＵ１０５はＳＷＲマトリクスの読み出すアドレスの直列側のＳＷＲ設定値を１段大きくして、Ｓ５０３ｈへと戻る。
【０２１２】
Ｓ５０６ｈとして、ＣＰＵ１０５はカウントした第２の閾値以下のＳＷＲ設定値が連続している個数とその範囲を記憶し、Ｓ５０７ｇへと進む。ここで範囲とは、例えば、図１７の場合で、並列コンデンサがＣ列だとＳＷＲ２．０以下が連続している範囲は（６、Ｃ）から（Ｂ，Ｃ）なので、Ｃ列（６〜Ｂ）という情報である。
【０２１３】
Ｓ５０７ｈとして、ＣＰＵ１０５は現在のＳＷＲマトリクスの読み出すアドレスの設定値が直列側の最大ＳＷＲ設定値Ｅか否かを判断し、最大ＳＷＲ設定値Ｅであると判断すると、Ｓ５０８ｈへと進み、最大ＳＷＲ設定値Ｅではないと判断すると、Ｓ５０５ｈへと進む。
【０２１４】
Ｓ５０８ｈとして、ＣＰＵ１０５は現在のＳＷＲマトリクスの読み出すアドレスの設定値が並列側の最大ＳＷＲ設定値Ｅか否かを判断し、最大ＳＷＲ設定値Ｅであると判断すると、Ｓ５０９ｈへと進み、最大ＳＷＲ設定値Ｅではないと判断すると、Ｓ５１０ｈへと進む。
【０２１５】
Ｓ５０９ｈとして、ＣＰＵ１０５は直列側のＳＷＲマトリクスの読み出すアドレスの設定値を１段大きくしてＳ５０２ｈへと戻る。
【０２１６】
Ｓ５１０ｈとして、並列側ｎＣＰＵ１０５はＳＷＲマトリクスの読み出すアドレスの設定値を１段小さい連続した範囲を読み出す。例えば、図１７で、現在の並列側ＳＷＲマトリクスの読み出すアドレスがＣ列の場合はＢ列の閾値が２．０以下の範囲（７、Ｂ）を読み出す。
【０２１７】
Ｓ５１１ｈとして、ＣＰＵ１０５はＳ５１０ｈで読み出したＢ列の連続範囲が現在の列（Ｃ列）連続範囲と並列側に連続しているか否かを判断する。ＣＰＵ１０５は連続していると判断した場合、Ｓ５１２ｈへ進み、連続していないと判断した場合はＳ５１３ｈへと進む。例えば、図１７ではＳ５１０ｈで読み出したＢ列の連続範囲（７、Ｂ）が現在の列（Ｃ列）連続範囲（６、Ｂ）と並列側に隣り合っているか否かを判断する。この場合は並列側として隣り合っていると判断する。
【０２１８】
Ｓ５１２ｈとして、ＣＰＵ１０５は連続値と範囲と記憶し、Ｓ５１３へと進む。例えば現在がＣ列の場合は連続範囲Ｂ（７、Ｂ）、Ｃ列（６、Ｂ）、カウント値１１個として記憶する。現在がＤ列の場合は連続範囲Ｂ（７、Ｂ）、Ｃ列（６、Ｂ）、Ｄ（９、Ｂ）、カウント値１４として記憶する。
【０２１９】
Ｓ５１３ｈとして、ＣＰＵ１０５は並列側のＳＷＲマトリクスの読み出すアドレスの設定値が最大か否かを判断し、最大と判断した場合はＳ５１４ｈへ進み、最大ではないと判断した場合はＳ５０９ｈへと戻る。
【０２２０】
Ｓ５１４ｈとして、ＣＰＵ１０５はカウント値が最大の範囲を読み出し、カウント値が最大の範囲の中心値を通信用のＳＷＲ設定値に決定する。
【０２２１】
例えば、図１７の場合、ＳＷＲ２．０以下の領域は太線で囲まれた、（４、１）を含む範囲（カウント値５）と（７、Ｂ）を含む範囲（カウント値１６）と（Ｂ、Ｆ）（カウント値１）であるので、（７、Ｂ）を含む範囲の中心が通信用のＳＷＲ設定値となる。
【０２２２】
また、中心の判定の仕方は、例えば、カウント値の半分となる直列と並列の位置の交点を中心とする。この場合、直列は９の列、並列はＣの列で交点（９、Ｃ）が通信用のＳＷＲ設定値となる。
【０２２３】
この結果、通信用なので、給電用の基準値である第１の閾値（ＳＷＲ１．７）よりは大きい基準である第２の基準値（ＳＷＲ２．０）であるが、広範囲に基準値以下のＳＷＲが広がっているＳＷＲ設定値を判定することができる。また、図１１の方法に比べて、処理数は増えるが、より広範囲で良好な通信が可能なＳＷＲ値を設定することができる。これにより、通信用に最適なＱ値（給電よりはＱ値が小さいが、広範囲で良好な通信が可能であるＳＷＲ設定値）を選択することができる。
【０２２４】
（図４のＳＷＲ設定動作処理のタイミング説明）
次に、ＳＷＲ調整処理（図４の通信と給電に最適なＱ値を設定する為のＳＷＲ設定動作処理）を行うタイミングの説明を図１３、図１４、図１５、図１６を用いて行う。
【０２２５】
図１３は給電装置１００が電子機器２００を検出するとＳＷＲ調整処理を行う場合である。
【０２２６】
Ｓ６０１ａとして、ＣＰＵ１０５は電子機器２００の検出を待つ。ＣＰＵ１０５は電子機器２００を検出するとＳ６０２ａへ進む。
【０２２７】
Ｓ６０２ａとして、ＣＰＵ１０５は電子機器２００が検出されると、ＳＷＲ調整処理として、図４の通信と給電に最適なＱ値を設定する為のＳＷＲ設定動作処理を行い、Ｓ６０３ａへと進む。
【０２２８】
Ｓ６０３ａとして、ＣＰＵ１０５はＳ４０４で判定した通信用のＳＷＲ設定値で電子機器２００と非接触で通信を行い、ＣＰＵ１０５は電子機器２００が非接触で受電可能な電子機器だと分かるとＳ６０４ａへ進む。
【０２２９】
Ｓ６０４ａとして、ＣＰＵ１０５はＳ４０３で判定した給電用のＳＷＲ設定値で電子機器２００に対し、非接触な電力を出力し給電する。
【０２３０】
Ｓ６０５ａとして、ＣＰＵ１０５は給電を終了するかを判断し、終了しない場合はＳ６０３ａに戻り、終了する場合は本給電と通信処理を終了する。
【０２３１】
ここでＣＰＵ１０５が給電を終了すると判断する条件は、例えば、Ｓ６０３ａでの通信により、電子機器２００の状態である。また、例えば電子機器２００が所定の範囲から居なくなったか否かである。
【０２３２】
このようにして給電装置１００は電子機器２００を検出するとＳＷＲ調整処理を行う。
【０２３３】
図１４は給電装置１００が電子機器２００を検出すると通信を行う前に、ＳＷＲ調整処理を行う場合である。図１３との違いはＳ６０５ｂからの戻りがＳ６０３ｂではなく、Ｓ６０２ｂであり、常に通信前にＳＷＲ調整処理を行う点である。その他は図１３と同様なので、詳細な説明は割愛する。
【０２３４】
このようにして給電装置１００は電子機器２００と通信する前にＳＷＲ調整処理を行う。
【０２３５】
図１５は給電装置１００が電子機器２００を検出すると給電を行う前に、ＳＷＲ調整処理を行う場合である。
【０２３６】
Ｓ６０１ｃとして、ＣＰＵ１０５は電子機器２００の検出を待つ。ＣＰＵ１０５は電子機器２００を検出するとＳ６０２ｃへ進む。
【０２３７】
Ｓ６０２ｃとして、ＣＰＵ１０５は電子機器２００が検出されると、ここでは予め決められた通信用のＳＷＲ設定値を使用し、電子機器２００との通信を行うが、一度、ＳＷＲ調整処理を行って、その結果を通信用のＳＷＲ設定値としてもよい。通信が終了するとＣＰＵ１０５はＳ６０３ｃへと進む。
【０２３８】
Ｓ６０３ｃとして、ＣＰＵ１０５はＳＷＲ調整処理として、図４の通信と給電に最適なＱ値を設定する為のＳＷＲ設定動作処理を行い、Ｓ６０４ｃへと進む。
【０２３９】
Ｓ６０４ｃとして、ＣＰＵ１０５はＳ４０３で判定した給電用のＳＷＲ設定値で電子機器２００に対し、非接触な電力を出力し給電する。
【０２４０】
Ｓ６０５ｃとして、ＣＰＵ１０５は給電を終了するかを判断し、終了しない場合はＳ６０２ｃに戻り、終了する場合は本給電と通信処理を終了する。
【０２４１】
このようにして給電装置１００は電子機器２００に給電する前にＳＷＲ調整処理を行う。
【０２４２】
図１６は給電装置１００がＳＷＲ値に変化が有った場合にＳＷＲ調整を行うである。
【０２４３】
Ｓ６０１ｄとして、ＣＰＵ１０５は電子機器２００の検出を待つ。ＣＰＵ１０５は電子機器２００を検出するとＳ６０２ｃへ進む。
【０２４４】
Ｓ６０２ｄとして、ＣＰＵ１０５はＳＷＲが変わったかを否か整合検出回路１０３により判断し、変わった場合は、Ｓ６０３ｄへと進み、変わっていない場合はＳ６０４ｄへと進む。
【０２４５】
ここで、給電機器１００は電子機器２００を検出するとＳＷＲ値が変化するので、この場合、ＳＷＲは変化したと判断する。
【０２４６】
また、比較するＳＷＲ値はデフォルト設定値とＳＷＲ調整処理後に記憶した最新のＳＷＲ値である。
【０２４７】
Ｓ６０３ｄとして、ＣＰＵ１０５はＳＷＲ調整処理として、図４の通信と給電に最適なＱ値を設定する為のＳＷＲ設定動作処理を行い、そのＳＷＲ設定値を記憶し、Ｓ６０４ｄへと進む。
【０２４８】
Ｓ６０４ｄとして、ＣＰＵ１０５はＳ４０４で判定した通信用のＳＷＲ設定値で電子機器２００に対し、非接触な通信を行う。
【０２４９】
Ｓ６０５ｄとして、ＣＰＵ１０５はＳ４０３で判定した給電用のＳＷＲ設定値で電子機器２００に対し、非接触な電力を出力し給電する。
【０２５０】
Ｓ６０６ｄとして、ＣＰＵ１０５は給電を終了するかを判断し、終了しない場合はＳ６０２ｄに戻り、終了する場合は本給電と通信処理を終了する。
【０２５１】
このようにして給電装置１００は電子機器２００対しＳＷＲが変わったか否かを判断し変わった場合はＳＷＲ調整処理を行う。
【０２５２】
その他、ＳＷＲ調整処理を行うタイミングとして図１３、図１４、図１５、図１６以外にも、一定間隔毎にＳＷＲ調整処理を行っても良い。
【０２５３】
以上のように、本実施例を行うことでＱ値を考慮したＳＷＲ調整と行うことで、通信と給電に適したＱ値を設定し切り替えることが可能で給電機器を提供することが可能となる。
【符号の説明】
【０２５４】
１００ 給電機器、２００ 電子機器
【図１】
2017121097.tif 000004
【図２】
2017121097.tif 000005
【図３】
2017121097.tif 000006
【図４】
2017121097.tif 000007
【図５】
2017121097.tif 000008
【図６】
2017121097.tif 000009
【図７】
2017121097.tif 000010
【図８】
2017121097.tif 000011
【図９】
2017121097.tif 000012
【図１０】
2017121097.tif 000013
【図１１】
2017121097.tif 000014
【図１２】
2017121097.tif 000015
【図１３】
2017121097.tif 000016
【図１４】
2017121097.tif 000017
【図１５】
2017121097.tif 000018
【図１６】
2017121097.tif 000019
【図１７】
2017121097.tif 000020